(57)【特許請求の範囲】
【請求項１】
壁の開口部に設置される矩形の取り付け枠体と、前記取り付け枠体の内側に配設された障子と、前記取り付け枠体の下側横枠部に取り付けられ、前記障子の下側の端部を回動可能に支持する下側ステーと、前記取り付け枠体の上側横枠部に取り付けられて前記障子の上側の端部を回動可能に支持する上側ステーとを備えたすべり出し窓装置において、
前記下側ステーは、第一及び第二のリンク部材を有し、
前記第一のリンク部材は、一端部が前記下側横枠部の中央より右側の位置に軸着された第一の短アームと、一端部が前記下側横枠部の中央より右側の位置に軸着された第一の長アームと、異なる２箇所が前記第一の短アームの他端部と前記第一の長アームの他端部とにそれぞれ軸着された第一の板状本体を有し前記第一の板状本体に第一の係合突起が立設された第一の着脱板とで構成され、
前記第二のリンク部材は、一端部が前記下側横枠部の左側の位置に軸着された第二の短アームと、一端部が前記下側横枠部の左側の位置に軸着された第二の長アームと、異なる２箇所が前記第二の短アームの他端部と前記第二の長アームの他端部とにそれぞれ軸着された第二の板状本体を有し前記第二の板状本体に第二の係合突起が立設された第二の着脱板とで構成され、
前記上側ステーは、第三及び第四のリンク部材を有し、
前記第三のリンク部材は、第一のリンク部材に対して上下に線対称な構造であって、前記第一の短アーム、前記第一の長アーム、前記第一の板状本体、前記第一の係合突起及び前記第一の着脱板に対応する各部材として、第三の短アーム、第三の長アーム、第三の板状本体、第三の係合突起及び第三の着脱板を備え、
前記第四のリンク部材は、第二のリンク部材に対して上下に線対称な構造であって、前記第二の短アーム、前記第二の長アーム、前記第二の板状本体、前記第二の係合突起及び前記第二の着脱板に対応する各部材として、第四の短アーム、第四の長アーム、第四の板状本体、第四の係合突起及び第四の着脱板を備え、
前記障子には、前記障子の下端部に取り付けられ、前記下側ステーの部分に着脱される下側着脱機構と、前記障子の上端部に取り付けられ、前記上側ステーの部分に着脱される上側着脱機構と、使用者が右開き又は左開きを選択する際に操作する選択操作部とが設けられ、
前記下側着脱機構は、第一及び第二の着脱具を有し、
前記第一の着脱具は、前記第一の着脱板の第一の係合突起が係合し、前記第一の着脱板と前記障子の下端部との相対位置が固定されるように前記第一の係合突起を保持する第一のロック部と、前記第一のロック部と前記第一の係合突起と係合を解除するための第一のロック解除レバーとを備え、
前記第二の着脱具は、前記第二の着脱板の第二の係合突起が係合し、前記第二の着脱板と前記障子の下端部との相対位置が固定されるように前記第二の係合突起を保持する第二のロック部と、前記第二のロック部と前記第二の係合突起と係合を解除するための第二のロック解除レバーとを備え、
前記上側着脱機構は、第三及び第四の着脱具を有し、
前記第三の着脱具は、前記第一の着脱具に対して上下に線対称な構造であって、前記第一のロック部及び前記第一のロック解除レバーに対応する各部材として、第三のロック部及び第三のロック解除レバーを備え、
前記第四の着脱具は、前記第二の着脱具に対して上下に線対称な構造であって、前記第二のロック部及び前記第二のロック解除レバーに対応する各部材として、第四のロック部及び第四のロック解除レバーを備え、
前記選択操作部には、前記選択操作部の変位を前記第一及び第三のロック解除レバーに作用させる右側ロック解除手段と、前記選択操作部の動作を前記第二及び第四のロック解除レバーに作用させる左側ロック解除手段とが接続され、前記選択操作部が、前記障子が右開きになるように操作されたとき、前記右側ロック解除手段を通じて前記第一及び第三のロック部のロックが解除され、前記選択操作部が、前記障子が左開きになるように操作されたとき、前記左側ロック解除手段を通じて前記第二及び第四のロック部のロックが解除されることを特徴とするすべり出し窓装置。
【請求項２】
前記第一の係合突起は、前記第一の着脱板の上面の互いに離れた位置に立設された一対の第一ピン状突起で成り、前記第一のロック部は、前記各第一ピン状突起の側周面と係合し、前記各第一ピン状突起が軸方向と交差する向きに移動するのを制限するものであり、
前記第二の係合突起は、前記第二の着脱板の上面の互いに離れた位置に立設された一対の第二ピン状突起で成り、前記第二のロック部は、前記各第二ピン状突起の側周面と係合し、前記各第二ピン状突起が軸方向と交差する向きに移動するのを制限するものであり、
前記第三の係合突起は、前記一対の第一ピン状突起に対して上下に線対称な構造であり、前記第三のロック部は、前記第一のロック部に対して上下に線対称な構造であり、
前記第四の係合突起は、前記一対の第二ピン状突起に対して上下に線対称な構造であり、前記第四のロック部は、前記第二のロック部に対して上下に線対称な構造である請求項１記載のすべり出し窓装置。
【請求項３】
前記下側ステー、前記上側ステー、前記下側着脱機構及び前記上側着脱機構は、それぞれ左右に線対称な構造である請求項１又は２記載のすべり出し窓装置。
【請求項４】
前記選択操作部は、前記障子の右側の端部に配設された右側開閉用ハンドルと、前記障子の左側の端部に配設された左側開閉用ハンドルとで構成され、
前記右側開閉用ハンドルには、前記右側開閉用ハンドルの動作を前記第一及び第三のロック解除レバーに作用させるための前記右側ロック解除手段が接続され、前記右側開閉用ハンドルが開き方向に操作されたとき、前記右側ロック解除手段を通じて前記第一及び第三のロック部のロックが解除され、
前記左側開閉用ハンドルには、前記左側開閉用ハンドルの動作を前記第二及び第四のロック解除レバーに作用させるための前記左側ロック解除手段が接続され、前記左側開閉用ハンドルが開き方向に操作されたとき、前記左側ロック解除手段を通じて前記第二及び第四のロック部のロックが解除される請求項１乃至３のいずれか記載のすべり出し窓装置。
【請求項５】
前記右側ロック解除手段は、前記右側開閉用ハンドルが開き方向に操作されたときに、自己の中心軸の周りを所定方向に回動する右側回転盤と、前記右側回転盤の周端部の特定位置に一端が接続され、他端部が前記第一のロック解除レバーに接続された右側下ワイヤと、前記右側回転盤の前記特定位置と前記中心軸を挟んで反対側の位置に一端が接続され、他端部が前記第三のロック解除レバーに接続された右側上ワイヤとで構成され、前記右側回転盤が前記所定方向に回動すると、前記右側下ワイヤが上向きに引っ張られ、その力が前記第一のロック解除レバーに作用し、前記右側上ワイヤが下向きに引っ張られ、その力が前記第三のロック解除レバーに作用し、前記第一及び第三のロック部のロックが解除され、
前記左側ロック解除手段は、前記左側開閉用ハンドルが開き方向に操作されたときに、自己の中心軸の周りを所定方向に回動する左側回転盤と、前記左側回転盤の周端部の特定位置に一端が接続され、他端部が前記第二のロック解除レバーに接続された左側下ワイヤと、前記左側回転盤の前記特定位置と前記中心軸を挟んで反対側の位置に一端が接続され、他端部が前記第四のロック解除レバーに接続された左側上ワイヤとで構成され、前記左側回転盤が前記所定方向に回動すると、前記左側下ワイヤが上向きに引っ張られ、その力が前記第二のロック解除レバーに作用し、前記左側上ワイヤが下向きに引っ張られ、その力が前記第四のロック解除レバーに作用し、前記第二及び第四のロック部のロックが解除される請求項４記載のすべり出し窓装置。
【請求項６】
前記下側ステー、前記上側ステー、前記下側着脱機構及び前記上側着脱機構は、それぞれ９０°回転させた配置で、前記障子は水平方向の揺動軸を中心としてすべり出す構造である請求項１乃至５のいずれか記載のすべり出し窓装置。
【発明の詳細な説明】
【技術分野】
【０００１】
本発明は、上側及び下側ステーに支持された障子が取り付け枠体の内側で開閉されるすべり出し窓装置に関する。
【背景技術】
【０００２】
すべり出し窓は、全開状態にすると障子が約９０度になるので、取り付け枠体の内側を最大限に開放することができ、室内にいて障子の表面と裏面を容易に掃除できる等の特徴があり、従来から広く使用されている。
【０００３】
例えば、特許文献１に開示されているように、障子の上下横框の左右方向の一端部が、所定の建具用ステーにより上下一対に支持され、窓枠の内側で開閉される構造のすべり出し窓があった。この建具用ステーは、障子取り付け材、短アーム、長アーム及び障子取り付け板が互いに軸着されてリンク機構を構成し、特定部分の長さや距離についての条件を規定することにより、風圧等によって障子が開きやすくなるのを防止している。
【０００４】
また、すべり出し窓に関する技術ではないが、特許文献２に開示されているように、冷蔵庫等の本体の左右両端部にロックカム部材を一対に設け、扉の左右両端部にスライドカム部材を一対に設け、この左右のカム機構（ロックカム部材及びスライドカム部材）により、本体と扉との左端部及び右端部の係合・離脱を可能にした左右開き式の扉開閉機構があった。
【先行技術文献】
【特許文献】
【０００５】
【特許文献１】特開２００９−２９９３６５号公報
【特許文献２】特開平９−３０３９４２号公報
【発明の概要】
【発明が解決しようとする課題】
【０００６】
特許文献１のすべり出し窓の場合、部屋のレイアウト等に合わせ、右開きタイプと左開きタイプのどちらか一方が選択されて設置される。したがって、建具メーカは、左開きタイプと右開きタイプの両方を製作し在庫しなければならない。また、部屋に設置した後は、左右の開き方向が固定されてしまうので、風向きの変化に応じて開き方向を変更するという使い方ができない。そこで、左右開き可能なすべり出し窓装置が求められている。
【０００７】
しかし、すべり出し窓装置は、障子を開閉するためのステーの構造が特殊であり、高い強度と安全性が要求されるので、左右開き式を実現するのは容易ではなく、例えば、特許文献２の技術は、特許文献１のすべり出し窓にそのまま適用することはできないものである。
【０００８】
本発明は、上記背景技術に鑑みて成されたものであり、構造がシンプルで、設置された後でも左右の開き方向を容易かつ安全に切り替えることができるすべり出し窓装置を提供することを目的とする。
【課題を解決するための手段】
【０００９】
本発明は、壁の開口部に設置される矩形の取り付け枠体と、前記取り付け枠体の内側に配設された障子と、前記取り付け枠体の下側横枠部に取り付けられ、前記障子の下側の端部を回動可能に支持する下側ステーと、前記取り付け枠体の上側横枠部に取り付けられて前記障子の上側の端部を回動可能に支持する上側ステーとを備えたすべり出し窓装置であって、前記下側ステーは、第一及び第二のリンク部材を有し、前記第一のリンク部材は、一端部が前記下側横枠部の中央より右側の位置に軸着された第一の短アームと、一端部が前記下側横枠部の中央より右側の位置に軸着された第一の長アームと、異なる２箇所が前記第一の短アームの他端部と前記第一の長アームの他端部とにそれぞれ軸着された第一の板状本体とを有し、前記第一の板状本体に第一の係合突起が立設された第一の着脱板とで構成され、前記第二のリンク部材は、一端部が前記下側横枠部の左側の位置に軸着された第二の短アームと、一端部が前記下側横枠部の左側の位置に軸着された第二の長アームと、異なる２箇所が前記第二の短アームの他端部と前記第二の長アームの他端部とにそれぞれ軸着された第二の板状本体とを有し、前記第二の板状本体に第二の係合突起が立設された第二の着脱板とで構成され、前記上側ステーは、第三及び第四のリンク部材を有し、前記第三のリンク部材は、第一のリンク部材に対して上下に線対称な構造であって、前記第一の短アーム、前記第一の長アーム、前記第一の板状本体、前記第一の係合突起及び前記第一の着脱板に対応する各部材として、第三の短アーム、第三の長アーム、第三の板状本体、第三の係合突起及び第三の着脱板を備え、前記第四のリンク部材は、第二のリンク部材に対して上下に線対称な構造であって、前記第二の短アーム、前記第二の長アーム、前記第二の板状本体、前記第二の係合突起及び前記第二の着脱板に対応する各部材として、第四の短アーム、第四の長アーム、第四の板状本体、第四の係合突起及び第四の着脱板を備え、前記障子には、前記障子の下端部に取り付けられ、前記下側ステーの部分に着脱される下側着脱機構と、前記障子の上端部に取り付けられ、前記上側ステーの部分に着脱される上側着脱機構と、使用者が右開き又は左開きを選択する際に操作する選択操作部とが設けられ、前記下側着脱機構は、第一及び第二の着脱具を有し、前記第一の着脱具は、前記第一の着脱板の第一の係合突起が係合し、前記第一の着脱板と前記障子の下端部との相対位置が固定されるように前記第一の係合突起を保持する第一のロック部と、前記第一のロック部と前記第一の係合突起と係合を解除するための第一のロック解除レバーとを備え、前記第二の着脱具は、前記第二の着脱板の第二の係合突起が係合し、前記第二の着脱板と前記障子の下端部との相対位置が固定されるように前記第二の係合突起を保持する第二のロック部と、前記第二のロック部と前記第二の係合突起と係合を解除するための第二のロック解除レバーとを備え、前記上側着脱機構は、第三及び第四の着脱具を有し、前記第三の着脱具は、前記第一の着脱具に対して上下に線対称な構造であって、前記第一のロック部及び前記第一のロック解除レバーに対応する各部材として、第三のロック部及び第三のロック解除レバーを備え、前記第四の着脱具は、前記第二の着脱具に対して上下に線対称な構造であって、前記第二のロック部及び前記第二のロック解除レバーに対応する各部材として、第四のロック部及び第四のロック解除レバーを備え、前記選択操作部には、前記選択操作部の変位を前記第一及び第三のロック解除レバーに作用させる右側ロック解除手段と、前記選択操作部の動作を前記第二及び第四のロック解除レバーに作用させる左側ロック解除手段とが接続され、前記選択操作部が、前記障子が右開きになるように操作されたとき、前記右側ロック解除手段を通じて前記第一及び第三のロック部のロックが解除され、前記選択操作部が、前記障子が左開きになるように操作されたとき、前記左側ロック解除手段を通じて前記第二及び第四のロック部のロックが解除されるすべり出し窓装置である。
【００１０】
前記第一の係合突起は、前記第一の着脱板の上面の互いに離れた位置に立設された一対の第一ピン状突起で成り、前記第一のロック部は、前記各第一ピン状突起の側周面と係合し、前記各第一ピン状突起が軸方向と交差する向きに移動するのを制限するものであり、前記第二の係合突起は、前記第二の着脱板の上面の互いに離れた位置に立設された一対の第二ピン状突起で成り、前記第二のロック部は、前記各第二ピン状突起の側周面と係合し、前記各第二ピン状突起が軸方向と交差する向きに移動するのを制限するものであり、前記第三の係合突起は、前記一対の第一ピン状突起に対して上下に線対称な構造であり、前記第三のロック部は、前記第一のロック部に対して上下に線対称な構造であり、前記第四の係合突起は、前記一対の第二ピン状突起に対して上下に線対称な構造であり、前記第四のロック部は、前記第二のロック部に対して上下に線対称な構造である構成にしてもよい。
【００１１】
また、前記下側ステー、前記上側ステー、前記下側着脱機構及び前記上側着脱機構は、それぞれ左右に線対称な構造であることが好ましい。
【００１２】
また、前記選択操作部は、前記障子の右側の端部に配設された右側開閉用ハンドルと、前記障子の左側の端部に配設された左側開閉用ハンドルとで構成され、前記右側開閉用ハンドルには、前記右側開閉用ハンドルの動作を前記第一及び第三のロック解除レバーに作用させるための前記右側ロック解除手段が接続され、前記右側開閉用ハンドルが開き方向に操作されたとき、前記右側ロック解除手段を通じて前記第一及び第三のロック部のロックが解除され、前記左側開閉用ハンドルには、前記左側開閉用ハンドルの動作を前記第二及び第四のロック解除レバーに作用させるための前記左側ロック解除手段が接続され、前記左側開閉用ハンドルが開き方向に操作されたとき、前記左側ロック解除手段を通じて前記第二及び第四のロック部のロックが解除される構成にしてもよい。
【００１３】
この場合、前記右側ロック解除手段は、前記右側開閉用ハンドルが開き方向に操作されたときに、自己の中心軸の周りを所定方向に回動する右側回転盤と、前記右側回転盤の周端部の特定位置に一端が接続され、他端部が前記第一のロック解除レバーに接続された右側下ワイヤと、前記右側回転盤の前記特定位置と前記中心軸を挟んで反対側の位置に一端が接続され、他端部が前記第三のロック解除レバーに接続された右側上ワイヤとで構成され、前記右側回転盤が前記所定方向に回動すると、前記右側下ワイヤが上向きに引っ張られ、その力が前記第一のロック解除レバーに作用し、前記右側上ワイヤが下向きに引っ張られ、その力が前記第三のロック解除レバーに作用し、前記第一及び第三のロック部のロックが解除され、前記左側ロック解除手段は、前記左側開閉用ハンドルが開き方向に操作されたときに、自己の中心軸の周りを所定方向に回動する左側回転盤と、前記左側回転盤の周端部の特定位置に一端が接続され、他端部が前記第二のロック解除レバーに接続された左側下ワイヤと、前記左側回転盤の前記特定位置と前記中心軸を挟んで反対側の位置に一端が接続され、他端部が前記第四のロック解除レバーに接続された左側上ワイヤとで構成され、前記左側回転盤が前記所定方向に回動すると、前記左側下ワイヤが上向きに引っ張られ、その力が前記第二のロック解除レバーに作用し、前記左側上ワイヤが下向きに引っ張られ、その力が前記第四のロック解除レバーに作用し、前記第二及び第四のロック部のロックが解除される構成であることが好ましい。
【００１４】
前記下側ステー、前記上側ステー、前記下側着脱機構及び前記上側着脱機構は、それぞれ９０°回転させた配置で、前記障子は水平方向の揺動軸を中心としてすべり出す構造にしても良い。
【発明の効果】
【００１５】
本発明のすべり出し窓装置によれば、シンプルな構造の下側ステー、上側ステー、下側着脱機構、及び上側着脱機構を組み合わせることにより、左右開きが可能なすべり出し窓装置を容易に得ることができる。また、選択操作部を操作することによって、左右の開き方向を容易かつ安全に切り替えることができる。
【図面の簡単な説明】
【００１６】
【図１】本発明のすべり出し窓装置の一実施形態の外観を示す図であって、障子が閉じた状態を室内側から見た正面図である。
【図２】この実施形態のすべり出し窓装置の障子が開いている状態で、障子を透視した図であって、下側ステー及び下側着脱機構の状態を示す平面図である。
【図３】この実施形態のすべり出し窓装置のＡ−Ａ断面図（ａ）、障子が開いている状態を示すＡ−Ａ断面図（ｂ）である。
【図４】図３（ａ）の右端部を拡大した図（ａ）、閉じられた障子が開かれるまでの右側係合ピン及び右側係合金具の係合が解除される動作を順に示すＢ−Ｂ断面図（ｂ）〜（ｄ）である。
【図５】図３（ａ）から障子等を省略した図であって、取り付け枠体及び下側ステーの外観を示す図である。
【図６】下側ステーの第一のリンク部材を示す図であって、第一のリンク部材が閉じている状態を示す平面図（ａ）、正面図（ｂ）、及び開いている状態を示す平面図（ｃ）である。
【図７】下側ステーの第二のリンク部材を示す図であって、第二のリンク部材が閉じている状態を示す平面図（ａ）、正面図（ｂ）、及び開いている状態を示す平面図（ｃ）である。
【図８】図３（ａ）から取り付け枠体等を省略した図であって、障子の構造を示す図（ａ）、障子を透視して下側着脱機構の構造を示す図（ｂ），（ｃ）である。
【図９】図８（ｂ）の右端部を拡大した図であって、第一の着脱板の第一ピン状突起が第一着脱金具に係合し保持される動作を順に示す図（ａ）〜（ｄ）、及び（ｄ）の状態を正面から見た図（ｅ）である。
【図１０】図８（ｂ）の左端部を拡大した図であって、第二の着脱板の第二ピン状突起が第二着脱金具に係合し保持される動作を順に示す図（ａ）〜（ｄ）、及び（ｄ）の状態を正面から見た図（ｅ）である。
【図１１】右側開閉用ハンドルに接続された右側ロック解除手段の動作、及び左側開閉用ハンドルに接続された左側ロック解除手段の動作を示す図である。
【図１２】右側下ワイヤにより第一着脱金具のロックが解除され、第一着脱金具から第一の着脱板が離脱する動作を順に示す図（ａ）、（ｂ）である。
【図１３】左側下ワイヤにより第二着脱金具のロックが解除され、第二着脱金具から第二の着脱板が離脱する動作を順に示す図（ａ）、（ｂ）である。
【発明を実施するための形態】
【００１７】
以下、本発明のすべり出し窓装置の一実施形態について、図面に基づいて説明する。この実施形態のすべり出し窓装置１０は、図１、図２、図３に示すように、略矩形の取り付け枠体１２と、取り付け枠体１４の内側に配設され障子１４とを備え、設置された後、障子の開き方向を切り替えることができるすべり出し窓装置である。ここで、「右」「左」は、すべり出し窓装置１０を室内側から見たときの方向とする。
【００１８】
取り付け枠体１２は、部屋の壁の開口部に設置され、上下一対の横枠部（下側横枠部１２ａ、上側横枠部１２ｂ）と左右一対の縦枠部（右側縦枠部１２ｃ、左側縦枠部１２ｄ）とを有している。
【００１９】
障子１４は、略矩形の框１６の内側にガラス１８が嵌め込まれた構造で、框１６は、上下一対の横框部（下側横框部１６ａ、上側横框部１６ｂ）と左右一対の縦框部（右側縦框部１６ｃ、左側縦框部１６ｄ）とを有している。障子１４の下端部である下側横框部１６ａは、取り付け枠体１２の下側横枠部１２ａに取り付けられた下側ステー２０により回動可能に支持され、障子１４の上端部である上側横框部１６ｂは、取り付け枠体１２の上側横枠部１２ｂに取り付けられた上側ステー２２により回動可能に支持されている。下側ステー２０と下側横框部１６ａとを接続する構造、及び上側ステー２２と上側横框部１６ｂとを接続する構造については、後で説明する。
【００２０】
框１６の外周面の屋外側の端部には、図３（ａ）、（ｂ）に示すように、外向きに延びる先端部１６ｓが設けられている。また、取り付け枠体１２の屋外側の側面には、先端部１６ｓに対向するように、帯状の気密パッド２４が取り付けられている。つまり、図４（ａ）に示すように、障子１４が閉じられた状態で框１６の先端部１６ｓが気密パッド２４に当接し、室内と屋外との間の気密性が確保されるようになっている。
【００２１】
障子１４の右側縦框部１６ｃには、図１、図２、図３に示すように、室内側の側面に右側開閉用ハンドル２６が設置され、右側縦枠部１２ｃと対向する面に、図１、図４（ａ）、（ｂ）に示すように、右側開閉用ハンドル２６が操作されることにより上下方向に移動する右側スライドバー２８が設けられ、右側スライドバー２８の外面に、２つの右側係合ピン３０が上下一対に立設されている。また、右側縦枠部１２ｃの内面には、Ｌ字状の切り込みが形成された右側係合金具３２が上下一対に取り付けられている。Ｌ字状の切り込みは、最奥部から上向きに伸びる一辺と、この一辺の端部から横向きに伸びて入口に達する一辺とを有している。
【００２２】
障子１４が閉じられた状態では、図４（ｂ）に示すように、一対の右側係合ピン３０が相手側の右側係合金具３２の切り込みの中に深く入り込んで係合し、右側縦框部１６ｃが右側縦枠部１２ｃの近傍に保持される。ここでは、室内と屋外との間の気密性を向上させるため、右側係合金具３２の切り込みの奥側の一辺に傾斜が設けられ、右側係合ピン３０が奥の部分に深く入るほど、障子１４の先端部１６ｓが気密パッド２４に強く押し当てられる構造になっている。
【００２３】
右側係合ピン３０と右側係合金具３２との係合を解除するときは、右側開閉用ハンドル２６を内側に倒す操作（右回りに回動させる操作）を行って右側スライドバー３２を上向きに移動させ、図４（ｃ）に示すように、右側係合ピン３０を切り込みの最奥部から中点の位置まで移動させる。そして、右側開閉用ハンドル２６を倒したまま、屋外の方向に押し出すと、図４（ｄ）に示すように、右側係合ピン３０が切り込みの外に脱出し、係合が解除される。
【００２４】
障子１４の左側縦框部１６ｄ及び取り付け枠体１２の左側縦枠部１２ｄにも、上記の右側開閉用ハンドル２６、右側スライドバー２８、右側係合ピン３０及び右側係合金具３２に対応する部材であって、これらと左右に線対称な構造の左側開閉用ハンドル３４、左側スライドバー３６、左側係合ピン３８及び左側係合金具４０が設けられている。右側及び左側スライドバー２８，３６は互いに連動する部材であり、右側又は左側開閉用ハンドル２６，３４が操作されると、右側及び左側スライドバー２８，３６の両方が上下方向に移動する構造になっている。
【００２５】
取り付け枠体１２の下側横枠部１２ａに取り付けられている下側ステー２０は、図５に示すように、左右一対に設けられた２つのリンク部材４２，５２で構成されている。下側横枠部１２ａの中央より右側の位置に取り付けられている第一のリンク部材４２は、下側横枠部１２ａの上面に固定された第一の基板４４を有し、この第一の基板４４に、第一の短アーム４６、第一の短アーム４６よりも長い第一の長アーム４８、及び所定長さの第一の着脱板５０が相互に連結され、障子１４のすべり出し動作を実現するためのリンク機構を形成している。具体的には、図６（ａ）、（ｂ）、（ｃ）に示すように、第一の基板４４の中央部に第一の短アーム４６の一端部が軸着され、第一の基板４４の左側の端部に第一の長アーム４８の一端部が軸着されている。第一の着脱板５０は、第一の板状本体５０ａの一端部の少し内側の位置で第一の短アーム４６の他端部に軸着され、第一の板状本体５０ａの他端部の少し内側の位置で第一の長アーム４８の他端部に軸着されている。
【００２６】
第一の着脱板５０の第一の板状本体５０ａには、一対の第一ピン状突起５０ｂ（第一の係合突起）が立設されている。第一ピン状突起５０ｂは、第一の板状本体５０ａの両端部に１つずつ配置され、軸方向の中央部が少し細くなった円柱状外形を有し、中心軸の位置で第一の板状本体５０ａに軸着され、円柱状の周方向に回転自在に起立している。
【００２７】
下側横枠部１２ａの中央より左側の位置に取り付けられている第二のリンク部材５２は、図７に示すように、第一のリンク部材４２と左右に線対称なリンク機構を形成している。具体的には、上記の第一の基板４４、第一の短アーム４６、第一の長アーム４８、及び第一の着脱板５０（第一の板状本体５０ａ、一対の第二ピン状突起５０ｂ）に対応する部材であって、これらと左右に線対称な第二の基板５４、第二の短アーム５６、第二の長アーム５８、及び第二の着脱板６０（第二の板状本体６０ａ、一対の第二ピン状突起６０ｂ）で構成されている。
【００２８】
下側ステー２０と障子１４の下側横框部１６ａとの接続は、下側ステー２０の着脱板５０，６０を下側横框部１６ａに取り付けられた下側着脱機構６２に係合させ保持させることにより行われる。下側着脱機構６２は、図８（ｂ），（ｃ）に示すように、左右一対に設けられた２組の着脱具で構成され、下側横框部１６ａの右端部に取り付けられている一対の第一着脱金具６４が第一の着脱具である。ここで、図８（ｂ）は構造を表すために、後述する第一及び第二のロック部７４，８６の両方を開いた状態を示し、図８（ｃ）は、第一及び第二のロック部７４，８６が閉じた状態を示している。
【００２９】
第一着脱金具６４は、図９（ａ）に示すように、下側横框部１６ａに固定された本体６６を有し、本体６６の異なる位置に、２つのロック体６８，７０が回動可能に軸着されている。ロック体６８は、略長方形の一端辺がＵ字状に切り込まれた形状であり、回動可能な範囲は、Ｕ字状の切り込みが外側に突出する角度（図９（ａ）に示す状態）から、Ｕ字状の切り込みが内側に収まる角度（図９（ｄ）に示す状態）までであり、図示しないバネによって前者の角度に近づけるように付勢されている。
【００３０】
ロック体７０は、略四角形の一端辺であってロック体６８に対向する側の端辺が山型に突出した形状であり、反対側の端辺の角部に第一のロック解除レバー７２が設けられている。ロック体７０の回動可能な範囲は、山型の突出部がロック体６８側にまっすぐ向いている角度（図９（ａ）の状態）から山型の突出部がロック体６８から離れて接触できなくなる角度までであり、図示しないバネによって前者の角度に近づけるように付勢されている。
【００３１】
図９（ａ）に示す一対の第一着脱金具６４は、第一の着脱板５０に立設された一対の第一ピン状突起５０ｂに係合させることができ、一旦係合すると係合状態にロックされる。まず、図９（ｂ）に示すように、下側横框部１６ａの右端部を第一の着脱板５０に近づけ、ロック体６８のＵ字状の切り込みの内側に第一ピン状突起５０ｂの側周面を差し込み、所定の力で押し込むと、図９（ｃ）に示すように、ロック体６８がバネの付勢方向と逆向きに回動する。さらに、ロック体６８の一部分がロック体７０の山型の突出部の傾斜面を押圧しながら摺動し、ロック体７０もバネの付勢方向と逆向きに回動する。その後、ロック体６８の摺接部分がロック体７０の山型の突出部を乗り越えると、ロック体７０がバネの付勢によって初期の角度に戻り、ロック体６８の摺接部分が山型の突出部の反対側の傾斜面に乗り上げて係止され、ロック体６８が初期の角度に戻れず、図９（ｄ）、（ｅ）に示すように、第一ピン状突起５０ｂの側周面がロック体６８，７０に囲まれた状態にロックされる。
【００３２】
ここで、第一ピン状突起５０ｂの側周面を囲む部分（ロック体６８のＵ字状の切り込みの部分、ロック体７０の山型の突出部の部分）が第一のロック部７４である。一対の第一のロック部７４に一対の第一ピン状突起５０ｂが係合して保持されると、個々の係合部に多少のクリアランスがあっても、異なる２箇所で保持しているので、障子１４の下端部と第一の着脱板５０との相対位置が確実に固定され、障子１４の下側横框部１６ａに対する第一の着脱具５０の角度がほぼ平行に維持される。
【００３３】
なお、各第一ピン状突起５０ｂを中心軸の位置で軸着し回動自在にしてあるのは、第一ピン状突起５０ｂがロック体６８のＵ字状の切り込みの内側に差し込んだ状態で、ロック体６８がスムーズに回動できるようにするためである。したがって、第一ピン状突起５０ｂが回動しなくてもロック体６８がスムーズに回動できる場合は、第一ピン状突起５０ｂを軸着せずに固着した構造にしてもよい。
【００３４】
第一のロック部６４ａのロックの解除は、第一のロック解除レバー７２を操作することによって簡単に行うことができる。図９（ｄ）に示すロック状態で、第一のロック解除レバー７２を引っ張ってロック体７０をバネによる付勢方向と反対方向に回動させ、ロック体７０の山型の突出部がロック体６８から離れる方向に移動させる。そして、ロック体７０がロック体６８の部分を係止できなくなる位置に達するとロックが解除され、ロック体６８がバネの付勢によって初期の角度に戻る。そして、第一のロック解除レバー７２を引っ張るのを止めると、ロック体７０がバネの付勢によって初期の角度に戻り、図９（ａ）に示す状態になる。
【００３５】
図８（ｂ），（ｃ）に示す下側横框部１６ａの左端部に取り付けられている一対の第二着脱金具７６が、第二の着脱具であり、第二着脱金具７６は、図１０（ａ）〜（ｅ）に示すように、第一着脱金具６４と左右に線対称な構造である。具体的には、上記の本体６６、ロック体６８，７０、第一のロック解除レバー７２、及び第一のロック部７４に対応する部材であって、これらと左右に線対称な構造の本体７８、ロック体８０，８２、第二のロック解除レバー８４、及び第二のロック部８６で構成され、同様の動作を行うことができる。
【００３６】
取り付け枠体１２の上側横枠部１２ｂに取り付けられている上側ステー２２は、図１に示すように、左右一対に設けられた２つのリンク部材８８，９０で構成されている。上側横枠部１２ｂの中央より右側の位置に取り付けられている第三のリンク部材８８は、第一のリンク部材４２と上下に線対称な構造である。具体的には、上記の第一の基板４４、第一の短アーム４６、第一の長アーム４８、及び第一の着脱板５０（第一の板状本体５０ａ、一対の第二ピン状突起５０ｂ）に対応する部材であって、これらと上下に線対称な第三の基板、第三の短アーム、第三の長アーム、及び第三の着脱板（第三の板状本体、一対の第三ピン状突起）で構成されている。
【００３７】
上側横枠部１２ｂの中央より左側の位置に取り付けられている第四のリンク部材９０は、第二のリンク部材５２と上下に線対称な構造である。具体的には、上記の第二の基板５４、第二の短アーム５６、第二の長アーム５８、及び第二の着脱板６０（第二の板状本体６０ａ、一対の第二ピン状突起６０ｂ）に対応する部材であって、これらと上下に線対称な第四の基板、第四の短アーム、第四の長アーム、及び第四の着脱板（第四の板状本体、一対の第四ピン状突起）で構成されている。
【００３８】
上側ステー２２と障子１４の上側横框部１６ｂとの接続は、上側ステー２２の２つの着脱板を上側横框部１６ｂに取り付けられた上側着脱機構９２に係合させ保持させることにより行われる。上側着脱機構９２は、図１に示すように、左右一対に設けられた２組の着脱具で構成され、上側横框部１６ｂの右端部に取り付けられている一対の第三着脱金具９４が第三の着脱具、左端部に取り付けられている一対の第四着脱金具９６が第四の着脱具である。
【００３９】
第三着脱金具９４は、第一着脱金具６４と上下に線対称に設けられ、具体的には、上記の本体６６、ロック体６８，７０、第一のロック解除レバー７２、及び第一のロック部７４に対応する部材であって、これらと上下に線対称な構造の本体、２つのロック体、第三のロック解除レバー、及び第三のロック部で構成されて、同様の動作を行うことができる。
【００４０】
第四着脱金具９６は、第二着脱金具７６と上下に線対称に設けられ、具体的には、上記の本体７８、ロック体８０，８２、第二のロック解除レバー８４、及び第二のロック部８６に対応する部材であって、これらと上下に線対称な構造の本体、２つのロック体、第四のロック解除レバー、及び第四のロック部で構成され、同様の動作を行うことができる。
【００４１】
すべり出し窓装置１０は、下側ステー２０と上側ステー２２とが上下に線対称であり、下側着脱機構６２と上側着脱機構９２とが上下に線対称であり、しかも下側ステー２０（第一のリンク部材４２と第二のリンク部材５２）、上側ステー２２（第三のリンク部材８８と第四のリンク部材９０）、下側着脱機構６２（一対の第一着脱金具６４と第二着脱金具７６）、及び上側着脱機構９２（一対の第三着脱金具と第四着脱金具）がそれぞれ左右に線対称な構造になっている。つまり、第一のリンク部材４２と第三のリンク部材が同一構造の部材であり、第二のリンク部材５２と第四のリンク部材の同一構造の部材なので、リンク部材の種類は実質的には対称な構造の２種類となる。同様に、一対の第一着脱金具６４と第三着脱金具が同一構造の部材であり、一対の第二着脱金具７６と第四着脱金具が同一構造の部材なので、着脱金具の種類は実質的には対称な構造の２種類となる。
【００４２】
障子１４には、使用者が右開き又は左開きを選択する際に操作する選択操作部が設けられており、ここでは、右開きを選択する際の選択操作部は右側開閉用ハンドル２６で、右開きを選択するとき、右側開閉用ハンドル２６を内側に倒す操作（右回りに回動させる操作）を行う。また、左開きを選択する際の選択操作部は左側開閉用ハンドル３４で、左開きを選択するとき、左側開閉用ハンドル３４を内側に倒す操作（左回りに回動させる操作）を行う。
【００４３】
右側開閉用ハンドル２６には、上記の右側開閉用ハンドル２６の動作を、第一着脱金具６４の第一のロック解除レバー７２及び第三着脱金具の第三のロック解除レバーに作用させるための右側ロック解除手段９８が接続されている。右側ロック解除手段９８は、右側開閉用ハンドル２６を内側に倒す操作が行われたとき、自己の中心軸の周りを右回りに回動する右側回転盤９８ａと、右側回転盤９８ａの周端部の特定位置に一端が接続され、図１１に示すように、他端部が第一のロック解除レバー７２に接続された右側下ワイヤ９８ｂと、右側回転盤９８ａの中心軸を挟んで反対側の位置に一端が接続され、他端部が第三のロック解除レバーに接続された右側上ワイヤ９８ｃとで構成されている。右側回転盤９８ａが右回りに回動すると、右側下ワイヤ９８ｂが上向きに引っ張られ、図１２に示すように、その力が第一のロック解除レバー７２に作用し、第一のロック部７４のロックが解除される。同様に、右側上ワイヤ９８ｃが下向きに引っ張られ、その力が第三のロック解除レバーに作用し、第三のロック部のロックが解除される。
【００４４】
左側開閉用ハンドル３４には、上記の左側開閉用ハンドル３４の動作を、第二着脱金具７６の第二のロック解除レバー８４及び第四着脱金具の第四のロック解除レバーに作用させるための左側ロック解除手段１００が接続されている。左側ロック解除手段１００は、左側開閉用ハンドル３４を内側に倒す操作が行われたとき、自己の中心軸の周りを左回りに回動する左側回転盤１００ａと、左側回転盤１００ａの周端部の特定位置に一端が接続され、他端部が第二のロック解除レバー８４に接続された左側下ワイヤ１００ｂと、左側回転盤１００ａの中心軸を挟んで反対側の位置に一端が接続され、他端部が第四のロック解除レバーに接続された左側上ワイヤ１００ｃとで構成されている。左側回転盤１００ａが左回りに回動すると、左側下ワイヤ１００ｂが上向きに引っ張られ、図１３に示すように、その力が第二のロック解除レバー８４に作用し、第二のロック部８６のロックが解除される。同様に、左側上ワイヤ１００ｃが下向きに引っ張られ、その力が第四のロック解除レバーに作用し、第四のロック部のロックが解除される。
【００４５】
次に、すべり出し窓装置１０を開閉する際の動作について説明する。障子１４が閉じられた状態で、下側ステー２０は、図５に示すように、第一及び第二のリンク部材４２，５２が閉じられており、下側着脱機構６２は、図８（ｃ）に示すように、第一及び第二のロック部７４，８６が閉じてロックされている。つまり、第一のリンク部材４２の第一ピン状突起５０ｂが第一のロック部７４に係合し保持され、第一の着脱板５０が障子１４の下側横框部１６ａの右側の位置に接続されている。同様に、第二のリンク部材５２の第二ピン状突起６０ｂが第二のロック部８６に係合し保持され、第二の着脱板６０が障子１４の下側横框部１６ａの左側の位置に接続されている。上側ステー２２と上側着脱機構９２についても同様である。
【００４６】
室内にいる使用者が、障子１４の右側を開くため、右側開閉用ハンドル２６を内側に倒す操作（右回りに回動させる操作）を行うと、図４（ｃ）に示すように、右側スライドバー２８が上向きに移動し、右側係合ピン３０と右側係合金具３２とが離脱可能な状態になる。これに連動して、左側スライドバー３６も上向きに移動し、左側係合ピン３８と左側係合金具４０とが離脱可能な状態になる。また、図１１、図１２に示すように、右側開閉用ハンドル２６の動作が右側ロック解除手段１００を通じて第一のロック解除レバー７２及び第三のロック解除レバーに作用し、第一のロック部７４及び第三のロック部のロックが解除され、障子１４の上側及び下側横框部１６ａ，１６ｂが第一及び第三のリンク部材４２，８８から離脱可能な状態になる。
【００４７】
一方、第二のロック部８６及び第四のロック部はロックが解除されておらず、第二の着脱板６０が障子１４の下側横框部１６ａの左側の位置に接続され、第四の着脱板が障子１４の上側横框部１６ｂの左側の位置に接続されたままである。したがって、右側開閉用ハンドル２６を内側に倒した状態で屋外に向かって押し出すと、図２に示すように、障子１４の左側が第二のリンク部材５２及び図示しない第四のリンク部材により回動可能に支持され、右側を開くことができる。
【００４８】
その後、障子１４を閉じるときは、右側開閉用ハンドル２６を内側に倒した状態で引き戻し、第一のリンク部材４２の第一ピン状突起５０ｂを第一のロック部７４に係合させると共に、第三のリンク部材８８の第三ピン状突起を第三のロック部に係合させる。そして、右側開閉用ハンドル２６を内側に倒した状態から外側に戻す操作（左回りに回動させる操作）を行うことによって、上記と逆の動作が行われ、障子１４が閉じられた状態に戻る。
【００４９】
障子１４の左側を開閉するときの動作は、右側を開閉するときの動作とほぼ同じであり、使用者が左側開閉用ハンドル３４を操作することによって行うことができる。
【００５０】
以上説明したように、すべり出し窓装置１０によれば、シンプルな構造の下側ステー２０、上側ステー２２、下側着脱機構６２、及び上側着脱機構９２を組み合わせることにより、左右開きが可能なすべり出し窓装置を容易に得ることができる。また、選択操作部である右側及び左側開閉用ハンドル２６，３４を操作することによって、左右の開き方向を容易かつ安全に切り替えることができる。
【００５１】
また、各部材が互いに対称な構造になっているので、第一及び第二のリンク部材４２，５２を第三及び第四のリンク部材８８，９０に転用したり、第一及び第二着脱金具６４，７６を第三及び第四着脱金具９４，９６に転用したりすることができ、使用部材の共通化を図ることができる。
【００５２】
なお、本発明のすべり出し窓装置は、上記実施形態に限定されるものではない。例えば、前記下側ステー、前記上側ステー、前記下側着脱機構及び前記上側着脱機構は、それぞれ９０°回転させた配置で、前記障子は水平方向の揺動軸を中心としてすべり出す構造でもよい。これにより、例えば天窓にこのすべり出し窓装置を取り付けて、任意の方向に傾斜した障子により、良好な換気用開口を形成することができる。
【００５３】
その他、第一乃至第四のリンク部材を構成する短アーム、長アーム及び着脱板の形状や長さは、障子が取り付け枠体からすべり出す動きや角度、障子の大きさや重量、デザイン性等を考慮して自由に変更することができる。また、各着脱板に設けられる係合突起は、上記の第一及び第二ピン状突起５０ｂ，６０ｂのように、互いに離れた位置に一対に設けた構造でもよいが、例えば、着脱板の特定位置に１つの突起を設ける構造にしてもよい。この場合、相手方の着脱具に係合し保持された状態で、各着脱板と障子の下側又は上側の端部との相対位置がしっかり固定されるように、相互に強く嵌合させる構造にしたり、係合突起の形状を、障子と平行に長い突条にしたりするとよい。
【００５４】
第一乃至第四の着脱具のロック部及びロック解除レバーの構造は、第一乃至第四のリンク部材の各着脱板に設けられた係合突起の形態に合わせて変更することができる。また、各ロック解除レバーの構造に合わせて右側及び左側ロック解除手段や選択操作部の構造も変更することができる。例えば、上記のすべり出し窓１０の右側及び左側ロック解除手段９８，１００は、右側下ワイヤ９８ｂ、右側上ワイヤ９８ｂ、左側下ワイヤ１００ｂ、及び左側上ワイヤ１００ｃで各ロック解除レバーを所定方向に引っ張ってロックを解除するシンプルな構造であるが、各ロック解除レバーの構造や配置によってはワイヤで引っ張る構造にできないケースがあるので、その場合は、他の公知技術を用いて右側及び左側ロック解除手段を構成すればよい。
【００５５】
選択操作部は、すべり出し窓装置１０の場合、既存の右側及び左側開閉用ハンドル２６，３４を使用しているが、その他の形態に変更することができる。例えば、障子１４の框１６の側面に専用の選択操作用レバーを設け、選択操作用レバーを右向きに操作すると、右側ロック解除手段を通じて第一及び第三のロック部のロックが解除し、左向きに操作すると、左側ロック解除手段を通じて第二及びのロック部のロックが解除するようにしてもよい。
【００５６】
下側ステーと上側ステーが線対称な構造であるというのは、障子が斜めに傾いたりすることなく、スムーズに開閉できることを意味しており、障子の開閉動作に直接影響しない部分（例えば、装飾用の凹凸の有無等）は、厳密に対称でなくてもよい。これは、下側着脱機構と上側着脱機構についても同様である。ただし、上記のように、使用部材の種類をできるだけ少なくしたい場合は、厳密に対称な構造にすることが好ましい。
【符号の説明】
【００５７】
１０  すべり出し窓装置
１２  取り付け枠体
１２ａ  下側横枠部
１２ｂ  上側横枠部
１４  障子
１６ａ  下側横框部（障子の下側の端部）
１６ｂ  上側横框部（障子の上側の端部）
１６ｃ  右側縦框部（障子の右側の端部）
１６ｄ  左側縦框部（障子の左側の端部）
２０  下側ステー
２２  上側ステー
２６  右側開閉用ハンドル（選択操作部）
３４  左側開閉用ハンドル（選択操作部）
４２  第一のリンク部材
４６  第一の短アーム
４８  第一の長アーム
５０  第一の着脱板
５０ａ  第一の板状本体
５０ｂ  一対の第一ピン状突起（第一の係合突起）
５２  第二のリンク部材
５６  第二の短アーム
５８  第二の長アーム
６０  第二の着脱板
６０ａ  第二の板状本体
６０ｂ  一対の第二ピン状突起（第二の係合突起）
６２  下側着脱機構
６４  一対の第一着脱金具（第一の着脱具）
７２  第一のロック解除レバー
７４  第一のロック部
７６  一対の第二着脱金具（第二の着脱具）
８４  第二のロック解除レバー
８６  第二のロック部
８８  第三のリンク部材
９０  第四のリンク部材
９２  上側着脱機構
９４  一対の第三着脱金具（第三の着脱具）
９６  一対の第四着脱金具（第四の着脱具）
９８  右側ロック解除手段
９８ａ  右側回転盤
９８ｂ  右側下ワイヤ
９８ｃ  右側上ワイヤ
１００  右側ロック解除手段
１００ａ  左側回転盤
１００ｂ  左側下ワイヤ
１００ｃ  左側上ワイヤ
【図１】
0006487796.tif 000002
【図２】
0006487796.tif 000003
【図３】
0006487796.tif 000004
【図４】
0006487796.tif 000005
【図５】
0006487796.tif 000006
【図６】
0006487796.tif 000007
【図７】
0006487796.tif 000008
【図８】
0006487796.tif 000009
【図９】
0006487796.tif 000010
【図１０】
0006487796.tif 000011
【図１１】
0006487796.tif 000012
【図１２】
0006487796.tif 000013
【図１３】
0006487796.tif 000014